Podtech/llm-jp-corpus-v4-ja_patent huggingface dataset:
(57)【要約】【課題】清掃し易く、ローソクが倒れ難く、コンパクトなローソク立を提供する。【解決手段】  ローソクや線香を立てるローソク立であって、このローソク立はローソク台とローソク支持部から構成され、このローソク台は基板とローソク立芯を有し、ローソク支持部は弾力性のある細線からなる円錐状の螺旋部とこの螺旋部の頂部に円環部を有し、このローソク支持部はローソク台の上に載置され、このローソク支持部は圧縮してローソク立芯が露出可能であることを特徴とするローソク立。このローソク立のローソク台には鉤を設け、ローソク支持部を圧縮して係止できる。【選択図】図１
2020092074.tif 000002
【特許請求の範囲】
【請求項１】
ローソクを立てるローソク立であって、このローソク立はローソク台とローソク支持部から構成され、このローソク台は基板とローソク立芯を有し、ローソク支持部は弾力性のある細線からなる円錐状の螺旋部とこの螺旋部の頂部に円環部を有し、このローソク支持部はローソク台の上に結合・載置され、このローソク支持部は圧縮してローソク立芯が露出可能であることを特徴とするローソク立。
【請求項２】
上記のローソク立のローソク台には鉤を設け、ローソク支持部を圧縮して係止できることを特徴とするローソク立。
【発明の詳細な説明】
【技術分野】
【０００１】  この発明は、ローソクを倒れ難くするローソク立に関する。
【背景技術】
【０００２】  従来、仏前や墓前に立てるローソクは、倒れると火災の原因になるので、倒れ防止の工夫がされてきた。
【先行技術文献】
【特許文献】
【０００３】
【特許文献１】特開平１０−２５９２７
【発明の概要】
【発明が解決しようとする課題】
【０００４】  例えば、特許文献１に示す技術では、コイル状のスプリングを設けて、ローソクが倒れないようにしてきた。しかしながら、この方法では、ローソクの溶けた燃え残りが台に溜まり、次のローソクが立て難くなる問題があった。ローソクの燃え残りを除去しで清掃しようとしてもスプリングが邪魔になっていた。
【課題を解決するための手段】
【０００５】  ローソクを立てるローソク立であって、このローソク立はローソク台とローソク支持部から構成され、このローソク台は基板とローソク立芯を有し、ローソク支持部は弾力性のある細線からなる円錐状の螺旋部とこの螺旋部の頂部に円環部を有し、このローソク支持部はローソク台の上に結合・載置され、このローソク支持部は圧縮してローソク立芯が露出可能であることを特徴とするローソク立。
【発明の効果】
【０００６】  この発明により上記の問題点を解決し、清掃し易く、ローソクが倒れ難いローソク立を提供することができる。
【図面の簡単な説明】
【０００７】
【図１】第一の実施例のローソク立の正面図である。
【図２】第一の実施例のローソク立の平面図である。
【図３】第一の実施例のローソク立を圧縮した状態の正面図である。
【図４】第一の実施例のローソク立の使用状態を示す正面図である。
【発明を実施するための形態】
【０００８】  ローソクを立てるローソク立であって、このローソク立はローソク台とローソク支持部から構成され、このローソク台は基板とローソク立芯を有し、ローソク支持部は弾力性のある細線からなる円錐状の螺旋部とこの螺旋部の頂部に円環部を有し、このローソク支持部はローソク台の上に結合・載置され、このローソク支持部は圧縮してローソク立芯が露出可能であることを特徴とするローソク立。
【０００９】  上記のローソク立のローソク台には鉤を設け、ローソク支持部を圧縮して係止できることを特徴とするローソク立。
【実施例】
【００１０】  図１、図２、図３により第一の実施例のローソク立を説明する。ローソク立１０は、ローソク台２０とこの上に載置されたローソク支持部３０から構成されている。このローソク台２０は金属板からなる円盤形をした基板２２と、基板２２の中央上に接合した補助板２３を有している。補助板２３も金属板で形成され、溶接で基板２２に接合されている。【００１１】  基板２２の中央にはローソクを立てるローソク立芯２４が設けられ、補助板２３の両端には鉤２５が内方に向けて設けられている。
ローソク支持部３０は弾力性のある細線からなる円錐状の螺旋部３１と、この螺旋部３１の頂部に円環部３２が設けられている。円環部３２の両端には押さえ片３３が設けられている。【００１２】  通常、螺旋部３１、円環部３２、押さえ片３３はスプリングワイヤを曲げて一体に形成される。
ローソク支持部３０はローソク台２０の上に結合して載置され、図３のように、このローソク支持部３０を圧縮して、ローソク立芯２４が露出可能である。このとき、円環部３２を、鉤２５に係止すれば、螺旋部３１を圧縮したまま維持することができる。螺旋部３１が円錐形の螺旋状になっているので、金属線同士が軸方向に重なり合わず、よりコンパクトに圧縮することができる。【００１３】  このように、ローソク支持部３０を圧縮すれば、ローソク立芯２４の周辺を清掃し易いし、ローソク４０の着脱も容易である。また、ローソク立１０もコンパクトになり、商品パッケージが小さく、収納にも便利である。なお、押さえ片３３を指で押さえれば、ローソク支持部３０を圧縮し易い利点もある。
図４はローソク４０を立てた使用状態であり、ローソク４０が倒れ難くいことが分かる。
柄２１を設け、ローソク立１０を移動し易くしている。
【産業上の利用可能性】
【００１４】  この発明は、ローソクを立てるローソク立に関するが、線香立にも利用可能である。
【符号の説明】
【００１５】１０はローソク立
２０はローソク台
２１は柄
２２は基板
２３は補助板
２４はローソク立芯
２５は鉤
３０はローソク支持部
３１は螺旋部
３２は円環部
３３は押さえ片
４０ローソク
【図１】
2020092074.tif 000003
【図２】
2020092074.tif 000004
【図３】
2020092074.tif 000005
【図４】
2020092074.tif 000006
(57)【要約】      （修正有）【課題】スーパーホームセンター等のレジに於いてレジ担当者がレジ打ちと同時に別かごに商品を詰めるシステムにおいて、レジ担当者が別かごに広げたレジ袋またはエコバック（登録商標）に商品を詰めてもレジ袋またはエコバックが下にずり落ちない固定金具を提供する。【解決手段】別かごに広げたレジ袋またはエコバックに商品を詰めるとき下にずり落ちない様にレジ袋またはエコバックをかごの上部枠に固定金具でロックする。【選択図】図１
2020132268.tif 000002
【特許請求の範囲】
【請求項１】
スーパーホームセンター等のレジに於いてレジ担当者がレジ打ちと同時に袋詰めを行うために別かごに広げたレジ袋またはエコバックをかごに固定する金具またはクリップなどを使用して商品の袋詰め作業を営業行為として行うこと
【請求項２】
スーパーホームセンター等のレジに於いてレジ担当者がレジ打ちと同時に袋詰めを行うために別かごに広げたレジ袋またはエコバックを固定するフック又はラックなどを使用して商品の袋詰め作業を営業行為として行うこと
【発明の詳細な説明】
【技術分野】本発明はスーパーホームセンター等のレジに於いてお客様がお持ちになった商品をレジ担当者が別かごにレジ袋またはエコバックなどに広げた袋をかごに固定する金具である
【背景技術】
【０００１】この固定金具を使用して袋詰めを行うシステムは全てのお客様に対応するものではありません
対応するお客様は下述の様なお客様です
１、赤ちゃんまたは小さなお子様を抱いたお客様
２、障害をお持ちのお客様
３、杖をつかれているお客様
４、車椅子でお越しのお客様
５、熟年の方で袋詰めの手助けが必要と思われるお客様
以上の様なお客様です
これまでアテンダントと二人で行っていた袋詰めをレジ担当者がレジ打ちと同時に袋詰めを行うことです  使用する固定金具はレジ袋またはエコバックの両方に対応できます
この様に上述１〜５のお客様に対し優しいサービスを提供することを目的とします【０００２】
【先行技術文献】
【特許文献】
【０００３】
【非特許文献】
【０００４】
【発明の概要】
【発明が解決しようとする課題】本発明はレジ担当者がレジ打ちと同時に別かごのレジ袋またはエコバックに商品の袋詰めを行うことを課題とする
【課題を解決するための手段】
【０００５】別かごに広げたレジ袋又はエコバックが商品を詰めるときに下にずり落ちない様にレジ袋またはエコバックの淵をかごの上部枠に固定金具でロックする
【発明の効果】
【０００６】袋詰めを必要とするお客様  または希望するお客様対してレジ担当者がレジ打ちと同時に別かごに袋詰めを行うことでこれまでアテンダントと二人で行っていた袋詰め作業が不要となりアテンダントは他の作業への幅が広がり別のサービスの向上が可能になります
またお客様はかごの底に重いものを入れ上に軽いパンなどを乗せレジにお越しになります
レジ担当者はレジ打ちしながら上の軽いパンなどを手元に置き底の重いものを先に別かごに入れ最後に軽いパンなどを乗せお客様にお渡しします
お客様はかごをサッカー台に持って行き上の軽いパンなどを手元に置き底の重いものを先に入れ最後に軽いパンなどを入れます
つまりお客様はレジ担当者と同じ作業を行うことになります  レジ担当者がレジ打ちと同時に袋詰めをすることでお客様の手間を省くことができます
また今後さらに加速する少子高齢化社会に対応しお客様に優しいサービスを提供することで企業は地域社会に貢献できます
【図面の簡単な説明】
【０００７】
【図１】固定金具本体は厚さ２ミリ板のアルミ製でこの字型しており縦２ｃｍ横５ｃｍ幅２ｃｍでです  Ａ側面下部の内部に買い物かごに固定金具をロックするロックステーがあります  プラスチックカバーがＡ側面とＢ側面に接着しており上部プラスチックカバーは本体上面に接着してあります  フックは上部プラスチックカバーの片方に一箇所あり固定金具をレジ台より吊り下げる役目と布製等の厚目のエコバックをかごにロックするために使用します
【発明を実施するための形態】
【０００８】本発明の固定金具は買い物かごに広げたレジ袋またはエコバックをかごに固定するものである  固定することによりレジ担当者はレジ打ちと同時に袋詰めを行えることにある
【実施例】
【０００９】別かごに広げたレジ袋又はビニール製のエコバックなどをかご内に広げてレジ袋の袋閉じ部の片方をかごの取っ手と取っ手間に置き固定金具でロックします
袋閉じ部がないビニール製のエコバックは袋の淵をロックします
布製等の厚目のエコバック等は固定金具のフックを使用してかごの上部枠にかごの淵に対してＴ字になる様固定金具を縦向きにしてフックで挟み袋をロックします【００１０】
【産業上の利用可能性】
【００１１】
【符号の説明】
【００１２】
【図１】
2020132268.tif 000003
(57)【要約】【課題】特開２０１８−１１２７２３号のレンズ板と配列シートによる画面選択表示装置の性能向上。【解決手段】レンズアレイの形状を拡大レンズと底面に支柱を繋げてピッチシートの要素を明るく表示する事を特徴とする。【選択図】図１
2020086415.tif 000002
【特許請求の範囲】
【請求項１】
配列シートによる画面選択表示装置で拡大レンズとピッチシートの分解要素を特定する支柱を繋げて光路の散乱を整えたレンズアレイ柱の集合物をユニットとした表示装置。
【発明の詳細な説明】
【技術分野】
【０００１】  本発明は、レンズ板と配列シートによる画面選択表示装置を実現するうえで量産化と大画面作製方法を可能とした装置である。
【背景技術】
【０００２】  特開２０１８−１１２７２３号現在のレンズ板と配列シートによる画面選択表示装置を作成がある。にあたりピッチシートの分解要素位置とレンズアレイピッチは、装置が大きくなりレンズアレイ数が増えると双方の誤差が加算されて本来の位置の分解要素とレンズ焦点位置がずれて画像が取り出せない。
【先行技術文献】
【特許文献】
【０００３】
【特誅文献１】
特開２０１８−１１２７２３号公報
【発明の概要】
【発明が解決しようとする課題】
【０００４】  上記の画面選択表示装置は、画像のピクセル数に合わせてレンズアレイ数が増えピッチシートの分解要素との位置誤差が加算されて本来の位置の分解要素とレンズ焦点位置がずれて画像が取り出せない事と隣接する分解要素の光が混ざり表示画像が乱れる。
【課題を解決する為の手段】
【０００５】  本発明装置は、図１のようにレンズアレイの形状を拡大レンズとピッチシートの分解要素を特定する支柱を繋げて光路の散乱を整えたレンズアレイ柱の集合物をユニットとし上記の光の混ざりあいをなくした。
【０００６】上記ユニットをピッチシートに位置を合わせたパンチングシートに支柱を挿入することで表示装置の大型化やピクセル数の増加による誤差の増加が生じないようにした。
【０００７】上記レンズアレイ柱と前期ピッチシートの分解要素との接触面で境界反射を抑える為に屈折率の近い液体を充填した。
【発明の効果】
【０００８】  本発朋の効果は、上記表示装置のピクセル数の増加に対応し装置の大型化を可能とした。
【発明を実施する為の形態】
【０００９】  図１のようにレンズアレイの形状を拡大レンズとピッチシートの分解要素を特定する支柱を繋げて光路の散乱を整えたレンズアレイ柱で、拡大レンズ部は、透過と屈折の性質を持ち支柱部は、境界反射面を有する性質を持つ透過物で作成した集合ユニットで以後レンズユニットとする。この発明の実施例を図を参考に説明する。
【００１０】  実施例として図１は、レンズユニットを透明樹脂、ガラス、ジンクセレン等の透過物で作成しパンチングシートにレンズアレイパーツを並べてを表示装置表示面を構成する。
【００１１】図２は、レンズ面から入った光は、レンズで集光され支柱に達し、支柱の境界反射で反射した光は、支柱底面に向かいピッチシート側を照らす。その際透過をたすける為に屈折率の近い液体をピッチシート表面か支柱底面に充填する。ピッチシートの光は、支柱底面よりレンズ表面に行く。
【００２６】  本装置の透過物は、透明樹脂、透明ガラス、ジンクセレン等の電磁波でを用いることができ、レンズアレイやビッチシートの配列にハ二カム以外の形状を取ることが可能である。
【図面の簡単な説明】
【図１】  レンズユニットを平面と断面で示した図である。
【図２】  レンズアレイ柱の光路例。（Ｒ）レンズアレイレンズ部  （Ｌ）レンズアレイ支柱部  （Ｌ）パンチングシート
2020086415.tif 000003
【図１】
2020086415.tif 000004
【図２】
2020086415.tif 000005
(57)【要約】【課題】写真撮影において良質なボケ効果を形成出来る中心から周辺に向けて光の透過率を順次１００％〜０％を実現するアポダイゼーションフイルターで撮影カメラレンズ前面に装着可能な安価なフイルターを提供する。【解決手段】画像作成ソフトを利用して微粒子ドットで構成されたた円形グラデーション画像を作成、この画像を集積回路などを製造する高解像力ガラス乾板に縮小撮影をすることにより理想的な透過率を形成、安価なフイルターの提供を可能にした。【選択図】図３
2020086416.tif 000002
【特許請求の範囲】
【請求項１】
ガラス乾板を使用し写真技法により製造したアポダイゼーション効果を持つ光学フイルター。
【請求項２】
請求項１に記載された光学フイルターで各種の撮影レンズ前面に装着可能なフイルター。
【発明の詳細な説明】
【発明に属する技術分野】
【０００１】デジタルカメラ、ビデオカメラなど写真撮影においてアウトフォーカス部（ピントの合ってない部分）の良質なボケ効果を得る中心部から周辺部に向けて放射線状になだらかな透過光量を減少変化させるフイルター、一般的にアポダイゼーションと呼ばれる技術分野である。
【背景技術】
【０００２】従来のアポダイゼーションフイルターはＮＤガラスからなる凹レンズと同じガラスの凸レンズを組み合わせ、中心光軸から周辺部に順次光量が減少する手法を構成した物がある。これは凹凸レンズの組み合わせで構成するためフイルターの厚さが生じカメラに組み入れるにはレンズの大きさ等またコスト面（設計上、製造上）でも割高になる。またこの方式はアポダイゼーションの理想である透過率（１００％〜０％）が凹凸レンズの組み合わせで中心部１００％に出来ず８０％〜８５％が現状である。【０００３】一方他の方式によるこのフイルターの作成法は透明基板上に多数の大小のドットを組み合わせたパターンを薄膜形成、インクジェット印刷、シルク印刷などの手法で作成する方法があるがドットの寸法が５０μ〜５００μと大きく低コストでの製造が可能であるが中心部の光透過率８０％が現状である。【０００４】またレンズ内のフイルターの収差変減を電気駆動により調整し効果を上げる技術も考えられているがこれらはレンズ内部のフイルターで効果を挙げるシステムでありカメラレンズの前面に装着するフイルターは現存しない。
【先行技術文献】
【特許文献】
【０００５】特開平１１−２３１２０９【０００６】ＪＰ２０１４２１１６１７Ａ【０００７】特開２０１８−４９１０２
【発明が解決しようとする課題】
【０００８】上記フイルターによれば良質なボケを作る理想的なアポダイゼーション効果をあげる光の透過率１００％〜０％を実現することが困難で有ること、またフイルターをレンズ内部に装着していることから設計上また製造コストなど高価なレンズになり一般人には入手しにくいため、レンズ前面に装着可能なアポダイゼーション機能を持つ安価なフイルターを提供することにある。
【課題を解決するための手段】
【０００９】本発明は上記を解決する手段として、光の透過率変化を目的とした色を（本発明は黒色）連続的にデジタル量を変化させた円形グラデーション画像を作成し、この画像を高解像力感光材を塗布したガラス乾板を使用し縮小撮影をすることにより微粒子で構成されたフイルターを作成することを解決手段とした。
この手法を用いることにより低コスト、理想的な性能、フイルターの薄膜化などが可能となる。
【発明実施の形態】
【０００１０】      実施例１
以下本発明の実施形態を説明する。良質なボケ味を可能にするためにレンズ中心部から外周部に向けてなだらかな放射線状に光量が変化する事望ましいことから順次通過光量の減少を可能にするグラデーション原画を画像ソフトを使用し黒点微粒子ドットの円形グラデーションを作成した。
図１は作画したグラデーション画像
【０００１１】      実施例２
上記円形グラデーション原画の作成のドットの大きさはフイルターサイズ撮影１０μが理想と考えまた印字配置はガウス分布で縮小率を計算し大きさを５０μに定め作成した。
【０００１２】      実施例３
作成した原画をガラス乾板に縮小撮影出来るカメラを独自に製作しフイルターサイズに撮影テストをした、撮影に使用するガラス乾板は硬調タイプの特性曲線を持つため既存の現像液では適正なグラデーション画像形成が困難であることから連続階調を形成出来る軟調現像液を独自に工夫対応した。
【０００１３】      実施例４
次に撮影したガラス乾板の濃度値をコダック社の作成した濃度と透過率表を参考に計測（中心部の濃度値０、周辺部外側濃度値２，１以上）光の透過率が連続的に変化形成されているかを確認した。
図２は撮影したガラス基板の濃度と透過率表及び濃度の計測位置。
【０００１４】    実施例５
実施例３の計測結果、上下、左右の濃度にバラツキが有ることが判明、対応策を検討、撮影原画を回転させる装置を製作し原画を回転させながら撮影する事で濃度の濃い部分に統一される事を期待し撮影した結果平均化に対応が出来た。
【０００１５】    実施例６
焦点距離の異なるレンズを使用しボケのクリアー度をテストしボケ具合を確認した結果、フイルター装着した画像はクリアーなボケ具合を形成できる事が確認できた。
【発明の効果】
【０００１６】既存のアポダイゼーションフイルターは各社共レンズ内に装着されている為高価であり一般人には入手しにくいが当フイルターは通常のフイルター同様扱いも簡単であり安価で入手可能。
【０００１７】焦点距離の異なるレンズに使用出来、撮影のバリエーションが広がる。
【０００１８】原画の変更で任意の透過率が簡単に作成可能。
【図面の簡単な説明】
【図１】ガラス乾板に縮小撮影する為のグラデーション原画
【図２】グラデーション原画を縮小撮影したガラス乾板の上面図と濃度測定位置
【図３】ガラス乾板の断面図
【符号の説明】
【０００１９】図２の計測した濃度値と透過率表
測定位置    透過率    濃度
Ａ          ０％    ２，１
Ｂ        ３０％    ０，５
Ｃ        ５０％    ０，４
Ｄ        ８０％    ０，１
Ｅ      １００％    ０
図３  １  グラデーション画像  ２  ガラス基板
【図１】
2020086416.tif 000003
【図２】
2020086416.tif 000004
【図３】
2020086416.tif 000005
(57)【要約】【課題】発音体を打ち鳴らす際に、この発音体が回転するのを抑えつつ、音がよく鳴る発音装置の提供を目的とする。【解決手段】発音体と、前記発音体を載置することで支持するための載置部を有する支持部材を備え、前記載置部は前記発音体との面接触部を有することで前記発音体の回転を防止したものであることを特徴とする。【選択図】  図１
2020086080.tif 000002
【特許請求の範囲】
【請求項１】
発音体と、前記発音体を載置することで支持するための載置部を有する支持部材を備え、
前記載置部は前記発音体との面接触部を有することで前記発音体の回転を防止したものであることを特徴とする発音装置。
【請求項２】
前記載置部は弾性体で形成してあることで前記発音体を載置すると前記発音体と面接触するものであることを特徴とする請求項１記載の発音装置。
【発明の詳細な説明】
【技術分野】
【０００１】
本発明は、打撃部材等で打ち鳴らす発音装置に関する。
【背景技術】
【０００２】
おりんやベルには、りん棒等の打撃部材で打つと音が鳴るものが知られている。
例えば特許文献１には、スプリングでおりんを支持する構造が提案されている。
しかし、同公報に開示する構造では、打鈴する際におりんが回転する恐れが高く、おりんに文様等が付されている場合に、その正面位置が確保できない問題があった。
【先行技術文献】
【特許文献】
【０００３】
【特許文献１】実用新案登録第３１１０７３９号公報
【発明の概要】
【発明が解決しようとする課題】
【０００４】
本発明は、発音体を打ち鳴らす際に、この発音体が回転するのを抑えつつ、音がよく鳴る発音装置の提供を目的とする。
【課題を解決するための手段】
【０００５】
本発明に係る発音装置は、発音体と、前記発音体を載置することで支持するための載置部を有する支持部材を備え、前記載置部は前記発音体との面接触部を有することで前記発音体の回転を防止したものであることを特徴とする。
【０００６】
ここで発音体とは、叩くと音が鳴るものをいい、例えばおりん，ベル等である。
発音体の材質は、音が鳴りやすいものがよく、金属製が好ましい。
金属としては、黄銅，アルミ，スチール，金，銀，白金等が例として挙げられる。
【０００７】
本発明において面接触部を有すると表現したのは、発音体を支持部材の載置部に載置させた際に、発音体と載置部との間の接触部が所定の広さを有する面になっていることで、発音体が回転するのを抑えたことをいう。
従って、発音体を載置するだけで面接触しやすい点で、載置部は弾性体で形成してあることで前記発音体を載置すると前記発音体と面接触するものでもよい。
【発明の効果】
【０００８】
本発明に係る発音装置にあっては、発音体を支持部材に載置可能にしたので、発音体の正面部を任意の位置に定めて、支持部材に載置するだけで打ち鳴らすことができ、かつ、打ち鳴らす際に発音体が支持部材と面で接触しているので、この発音体が回転するのを防止できる。
【０００９】
また、載置部を弾性体で形成すると、発音体を載置するだけで支持部材の載置部が発音体の接触部の形状に合せて弾性変形するので、面接触になり、発音体の回転が抑えられるとともに、この発音体が弾性支持されているので揺れやすく振動しやすいので、音が大きくなり、その余韻も長くなる。
【図面の簡単な説明】
【００１０】
【図１】本発明に係る発音装置の構成例を示し、（ａ）は発音体を支持部材に載置する前、（ｂ）は載置した状態、（ｃ）は揺れる状態をそれぞれ示す。なお、発音体は断面斜視図で示した。
【図２】支持部材の載置部を円形状の平面部とした例を示す。
【図３】支持部材の載置部が弾性変形する例を示す。
【発明を実施するための形態】
【００１１】
本発明に係る発音装置の構造例を以下図に基づいて説明するが、本発明はこれに限定されない。
【００１２】
図１は、発音体１として下側が開口した逆さお椀形状の例を示す。
この発音体１は、台座３から立設した支持部材２の上端部に形成した載置部２ａに載置される。
発音体１の形状に制限はなく、各種形状の支持部材に載置することで、打撃部材で叩いて音が鳴るものであればよい。
【００１３】
図１に示した実施例では、弾性材からなる略球形状の載置部２ａにした例である。
この載置部２ａに発音体１を載置すると、この発音体の重量にて載置部２ａの上面（頂部）が発音体１の接触部１ａの形状に合せて変形する。
従来は、点接触にて発音体が回転したが、本発明においては面で接触することになり、その接触面の摩擦抵抗により、発音体が回転しない。
接触部の形状は、面接触であれば平面形状に限定されなく、発音体の形状にあった曲面形状でもよい。
また、従来は発音体と支持部材とをねじ等にて固定したものがあったが、本発明においては発音体を支持部材に載置するだけで、発音体が打撃により揺れる発音装置となる。
発音体の所定の側面が正面になっている場合に、その正面の位置を支持部材に載置する際に定めるだけで、そのまま正面の位置が安定的に定まる。
発音体が弾性材で支持されているので、音が鳴りやすく、余韻も長い。
【００１４】
本発明は、発音体の揺れを許容しつつ、回転しないように支持部材に載置した点に特徴がある。
よって、支持部材の載置部は必ずしも弾性体でなくてもよい。
例えば、図２に示すように樹脂材等の略円柱形状からなる載置部１２ａを支持部材１２の上部に形成することで、発音体１を平面で支持することになり、その摩擦力にて回転が防止される。
また、この上面は円形状に限定されず、多角形であってもよい。
【００１５】
図３は、弾性材からなる載置部２２ａが変形した例を示す。
このように発音体の重量にて上面が変形し、面接触になるものであれば、弾性材の材質や形状に制限がない。
【符号の説明】
【００１６】
１        発音体
１ａ      接触部
２        支持部材
２ａ      載置部
３        台座
【図１】
2020086080.tif 000003
【図２】
2020086080.tif 000004
【図３】
2020086080.tif 000005
(57)【要約】【課題】小型軽量でウェアラブルであり、人間はもちろんのこと、小さな動物にも取り付けて、遠隔地から彼らの行動を把握し、データベースに保存し、彼らの行動を追跡するとともに、遠隔から指示することが可能となる装置を提供する。【解決手段】一定時間間隔で該装置に搭載されたカメラで撮影し、撮影データとマイクロフォンで録音した音、およびＧＰＳによる位置情報を通信機能（ＬＴＥ／４Ｇ／５Ｇ）で、該一定時間間隔ごとにサーバーにアップロードし、サーバーに保存する手段およびこれらの情報をもとに、彼らの行動を追跡し、遠隔から行動を指示する機能を備えるように構成したものであり、人間が該装置を身に着けることによって、子供の誘拐や行方不明に対処可能とし、また、危険な場所の警告を行うなど、人命に関わる危険を未然に防ぐことを実現する。【選択図】図１
2020191615.tif 000002
【特許請求の範囲】
【請求項１】
人間がウェアラブルな装置であって、超小型カメラと、通信機能（ＬＴＥ／４Ｇ／５Ｇ）、ＧＰＳ、マイクロフォンを有し、一定時間間隔でカメラで撮影し、撮影したデータとマイクロフォンで録音した音、およびＧＰＳによる位置情報を、通信機能で該一定時間間隔ごとにサーバーにアップロードし、サーバーに保存し、彼らの行動を遠隔から監視し、追跡することが可能な、ウォーキングレコーダ装置
【請求項２】
サーバーにアップロードしたデータ、音、位置情報は、遠隔から監視することにより、該装置を装着した人間に、行動を指示することを可能とするウォーキングレコーダ装置
【請求項３】
一定時間の設定は、該装置に通信による受信機能を有させ、受信データにより自動的に設定させることを可能とするウォーキングレコーダ装置
【請求項４】
小型軽量でウェアラブルであり、人間はもちろんのこと、小さな動物にも取り付けて、彼らの行動を遠隔から監視追跡することが可能となる、ウォーキングレコーダ装置
【発明の詳細な説明】
【技術分野】
【０００１】本発明は、人間をはじめとし種々の生物にウェアラブルな装置であって、一定時間間隔で該装置のカメラで撮影したデータ、マイクで録音した音、ＧＰＳ位置情報を、一定間隔ごとにサーバーに送信し、サーバーのデータベースに保存し、彼らの行動を監視追跡が可能となる、ウォーキングレコーダ装置に関する。
【背景技術】
【０００２】今日、防犯カメラやドライブレコーダが普及し、カメラで撮影した映像を保存し、事故や犯罪が発生した時に、保存しておいた映像を分析し、事故の原因究明や犯罪の摘発に力を発揮している。【０００３】一方、子供の誘拐や行方不明とかの人命に関わる犯罪が後を絶たず、これらにどう対処すべきかが、社会全体の課題となっている。
【先行技術文献】
【０００４】関連する先行技術文献は、防犯カメラやドライブレコーダー等があるが、本発明はこれらの先行技術とは異なる、新規の技術である。
【発明の開示】
【発明が解決しようとする課題】
【０００５】そこで本発明は上記事情に鑑みて、防犯カメラのように場所に固定されてその場所の映像を撮影して保存する装置ではなく、また、ドライブレコーダーのように、車で走行する映像を撮影して保存する装置でもなく、人間が歩行している状況で、小型軽量でウェアラブルで、撮影データを該装置内に保存するのではなく、一定時間間隔ごとにサーバーに送信し、歩行者にトラブルが発生しても、データが破棄されることが不可能となる装置を提供することを目的とする。【０００６】上記目的を達成するために、本発明のウォーキングレコーダ装置は、人間がウェアラブルな装置で、超小型カメラと、ＧＰＳ、マイクロフォンを有し、一定時間間隔でカメラで撮影し、撮影したデータと、マイクロフォンで録音した音、およびＧＰＳによる位置情報を、通信機能（ＬＴＥ／４Ｇ／５Ｇ）で、該一定時間間隔ごとにサーバーにアップロードし、サーバーに保存することにより、遠隔から彼らの行動を監視追跡する手段を備えるように構成したものである。【０００７】上記構成により、人間がウェアラブルな該装置を身に着けることによって、子供の誘拐や、行方不明とかの、人命に関わる犯罪を未然に防ぐことが可能となる。
【発明の効果】
【０００８】以上説明したように、本発明のウォーキングレコーダ装置は、一定時間間隔でカメラで撮影し、撮影したデータと、マイクロフォンで録音した音をＧＰＳによる位置情報とともに、該通信機能で、該一定時間間隔ごとにサーバーにアップロードして保存し、遠隔から行動を監視追跡する手段を備えるように構成したものであり、人間が該装置を身に着けることによって、子供の誘拐や行方不明とかの、人命に関わる犯罪を未然に防ぐことが可能となる。
【発明を実施するための最良の形態】
【０００９】ウォーキングレコーダ装置の形態。
【図面の簡単な説明】
【００１０】
【図１】本発明の実施形態に係る、ウォーキングレコーダ装置のブロック図である。
【００１１】まず、ウォーキングレコーダ装置Ｄ１の、カメラＤ１１で、一定時間間隔ごとに外界を撮影し、バッファＤ１４に保存する。また、マイクロフォンＤ１２で、音を録音し、同じくバッファＤ１４に保存する。更に、ＧＰＳ  Ｄ１３の位置情報も、同じくバッファＤ１４に保存する。
次に該バッファのデータを、時間間隔設定Ｄ１６で設定された時間間隔で、通信装置Ｄ１５により、インターネット上のサーバーデータベースＤ２に送信し、該データベースに保存する。
監視追跡制御装置Ｄ４は、サーバーデータベースＤ２のデータを監視し、人物Ｄ６がコースを外れてウォーキングをしていることを検知した場合、スマートフォンＤ５にその旨を通知し、人物Ｄ６に対して指示を行う。【００１２】Ｄ１    ウォーキングレコーダ装置
Ｄ１１  カメラ
Ｄ１２  マイクロフォン
Ｄ１３  ＧＰＳ
Ｄ１４  バッファ
Ｄ１５  通信装置
Ｄ１６  時間間隔設定装置
Ｄ２    ネットワーク
Ｄ３    サーバーデータベース
Ｄ４    監視追跡制御装置
Ｄ５    スマートフォン
Ｄ６    人物
【図１】
2020191615.tif 000003
(57)【要約】【課題】自然言語文章を、言語の異なる他国の人が理解することが可能な画像言語文章を提供する。【解決手段】自然言語（日本語、英語等）文章中の各単語（名詞、動詞、形容詞等）の画像をあらかじめ用意し、該画像のデータベースを有し、単語が与えられると、該データベースから、単語に対応する画像を抽出し、文章中の各単語を対応する画像で表現し、画像の並びで言語文章を表現することを実現する。【選択図】図１
2020191052.tif 000002
【特許請求の範囲】
【請求項１】
自然言語（日本語、英語等）文章中の各単語（名詞、動詞、形容詞等）の画像をあらかじめ用意しておき、文章中の各単語を対応する画像で表現し、画像の並びで自然言語文章を表現することを特徴とする、画像言語文章システム。
【請求項２】
自然言語の各単語に対応する画像のデータベースを有し、単語が与えられると、データベースから、該単語に対応する画像を抽出するシステムを有することを特徴とする、画像言語文章作成システム。
【請求項３】
自然言語文章が与えられた時、各単語に対応する画像をデータベースから抽出して、画像の並びで文章を表現する時に、文章構成に応じて、画像のサイズの拡大・縮小・複数の画像の合成を行う、画像文章編集機能を有することを特徴とする、画像文章作成システム。
【発明の詳細な説明】
【技術分野】
【０００１】本発明は、自然言語文章に於ける各単語（名詞、動詞、形容詞等）を画像（絵、イラスト等）で表現し、画像の並びで該文章を表現することを特徴とする、画像言語文章システムに関する。
【背景技術】
【０００２】今日、パソコンや携帯電話が普及し、該機器では、絵文字を用いた電子メールが、無味乾燥な文字をより親しみ易い表現方法として、広く利用されて来ている。また、地図上での各種の建物などの標識や交通標識や電車内の優先座席標識などには、文字ではなく絵が表示されるのが一般的になってきている。【０００３】一方、インターネットの普及により、世界中の人々がリアルタイムでコミュニケーションが可能になってきている。しかし、言語の違う国の人々とのコミュニケーションは難しい。従って、コミュニケーションを補助するために、絵やイラストなどの利用が不可欠となっている。
【先行技術文献】
【０００４】先行技術文献は存在せず、これまでにはない全く新規の技術である。
【発明の開示】
【発明が解決しようとする課題】
【０００５】そこで本発明は上記事情に鑑みて、自然言語文章に於ける各単語（名詞、動詞、形容詞等）を、画像（絵、イラスト等）で表現し、画像の並びで該文章を表現することにより、言語の異なる他国の人が、該自然言語文章を理解することが可能となるシステムを提供することを目的とする。【０００６】上記目的を達成するために、本発明の画像言語文章システムは、言語に於ける単語（名詞、動詞、形容詞等）に対応する絵、イラストなどの画像をあらかじめ用意して、データベースに保存し、単語を指定すると対応する絵、イラスト、画像をデータベースから取り出すことができる手段と、文章に沿って、絵、イラスト、画像を順序だてて並べる手段を備えるように構成したものである。【０００７】上記構成により、自然言語文章の各単語を絵、イラスト、画像で表現し、画像の並びで文章を表現することにより、言語の異なる他国の人が文章を理解すことが可能となる。
【発明の効果】
【０００８】以上説明したように、本発明の画像言語文章システムは、言語の各単語を絵、イラスト、画像で表現することにより、文章を絵、イラスト、画像の並びで表現することにより、言語の異なる他国の人が文章を理解すことが可能となる。
【発明を実施するための最良の形態】
【０００９】自然言語の各単語を絵、イラスト、画像で表現することにより、文章を絵、イラスト、画像の並びで表現するシステムの形態。
【図面の簡単な説明】
【００１０】
【図１】本発明の実施形態に係る、言語の各単語を絵、イラスト、画像で表現することにより、文章を絵、イラスト、画像の並びで表現する画像言語文章システムのブロック図である。
【図２】画像言語文章の例である。図２で、自然言語文章Ｄ５を、画像文章作成ソフトウェアＤ２（図１）により、画像言語文章Ｄ６が生成される。
【００１１】  まず、自然言語文章Ｄ１から、各単語Ｄ２１を抽出する。次に各単語に対応する画像のデータベースＤ３を参照することにより、該各単語の画像Ｄ２２を抽出する。次に、各単語を自然言語文章に対応して順序づけを行い、また強調（画像の拡大・縮小）する機能Ｄ２３により、画像言語文章Ｄ４として、表示する。【００１２】Ｄ１    自然言語文章
Ｄ２    画像文章作成ソフトウェア
Ｄ２１  単語抽出ソフトウェア
Ｄ２２  画像抽出ソフトウェア
Ｄ２３  画像文章表示ソフトウェア
Ｄ３    単語に対応する画像データベース
Ｄ４    画像言語の文章
Ｄ５    自然言語文章
Ｄ６    画像言語文章
【図１】
2020191052.tif 000003
【図２】
2020191052.tif 000004
(57)【要約】      （修正有）【課題】机の傍に置くことができ、バケツにもなる、チリ取り付きホウキを入れられるポケットと雑布を干して置く事も出来る雑布干し器具を取り付けたゴミ箱を提供する。【解決手段】プラスチック製ゴミ箱の肉厚を厚くし、上部位に上下回転式取っ手を付け、脇に「ホウキ付チリ取り入れポケット」や「雑布掛けハンガー」等を取り付ける。【選択図】図１
2020023394.tif 000002
【特許請求の範囲】
【請求項１】
本願発明品は、ゴミ箱であり併、ラックの様に取っ手付バケツにもなる様に設計されて造られる他、このゴミ箱の脇には、取り付け外し自在の「チリ取り付ホウキ」を入れられるポケット付ゴミ箱となったり、更にそれ等の脇には、雑布を終日干して置く事の出来る雑布干し器具を取り付けられて造られる、「取っ手付バケツ、チリ取りホウキ雑布掛け付ゴミ箱（Ｔ．８３２）」
【発明の詳細な説明】
【技術分野】
【０００１】  机の傍にチリ取り付ホウキを入れられるポケット付ゴミ箱や、ゴミ箱であり併、取っ手付バケツにもなり、そのゴミ箱の脇には、雑布を干して置く事の出来る雑布干し器具を取り付けたラック式のゴミ箱を造って発明した所、机の上やパソコンの上に貯るホコリやチリを払い落したり、掃除したり空フキする事が容易に出来る様になった。
【背景技術】
【０００２】  特にありません。
【先行技術】
【０００３】  特にありません。
【発明の概要】
【発明が解決しようとする課題】
【０００４】  新潟地裁長岡支部、原審裁判官、山田博が之れを書き犯罪機関化した最高裁判所昭和５９年（ワ）９８７６号事件が容認（許可）する事件が為に、日本国民の一人一人が公序良俗によって、専有しなければならない、１億２千万人分のパソコン、テレビ、ラジオにある個人情報が悪意を得、スーパコンピューターを繰る第三者の意の儘にピンポイントで勝手に盗聴、盗撮されている事実（特願、２０１２年１６０００３号参照）を筆者が見破り、筆者のパソコン自体も、日々、盗聴、盗撮されている事が分ったので、
作家である筆者の書く文章は、特許庁に提出されるまでは、全て手書き文章となっているので、原稿の下書きには、
2020023394.tif 000003
なくなった４Ｋ機能付パソコンの上に貯まる埃をどうにかしなければならない。と考えた。  課題が生じた。
【課題を解決する為の手段】
【０００５】  机の傍に、チリ取り付きホウキを入れられるポケット付ゴミ箱や、ゴミ箱であり併、バケツにもなり、そのゴミ箱の脇には、雑布を干して置く事も出来る雑布干し器具を取り付けたゴミ箱を造って発明した所、机の上やパソコンに貯るホコリやチリを払い落したり、掃除したり、空フキする事が容易に出来る様になった。
【発明の効果】
【０００６】  チリ取り付きホウキをいちいち探さなくても、常に携帯できる、取っ手付ゴミ箱（若しくはバケツ）と同伴で使用する事が出来た。
【図面の簡単な説明】
【０００７】
【図１】  「取っ手付き、バケツ、チリ取り、ホウキ、雑布掛け付きゴミ箱（Ｔ．８３２）」の組み立て図と分解図を示す。
【０００８】
【図２】  「取手付、バケツ、チリ取り、ホウキ、雑布掛け付きゴミ箱（Ｔ．８３２）」の立体図、使用例と、逆さまにして見た図を示す。
【発明を実施する為の形態】
【０００９】  本願発明品を造る最初からの本来の目的物は単なるプラスチック製のゴミ箱にして、之れ等には、補強を強くし、取手を付けたりして、バケツにもなる他に、脇に取り付け外し自在の「ホウキ付チリ取り入れポケット」や「雑布掛けハンガー」等を取り付けると、好例の別の物にもなり、使用上、多機能を持つ大変便利な物になった。
【実施例】
【００１０】  ワンコインショップで販売されているプラスチック性ゴミ箱の肉厚を厚くし、之れの上部位に、上下回転式取っ手を付ける他、脇に「ホウキ付チリ取り入れポケット」や、「雑布掛けハンガー」等を取り付けて使用してみた所、之れはゴミ箱であり併、バケツにも変更できる物になる他、掃除に必要なホウキ、チリ取り、雑布等を日がな干しておく事が出来て、常に一つ所に纒めて置き、持ち運び携帯できるものとなった。
【産業上利用の可能性】
【００１１】  ワンコインショップで購入できる商品として造られる事を理想とする、本願発明品では、掃除に必要な、ゴミ箱を主体にさせ、之れに取っ手を付けて、バケツ機能をも持たせる他、脇に、「ホウキ付チリ取り入れポケット」や、「雑布掛けハンガー」等の持つ多機能を持つ掃除用具品になる事を消費者が知り、消費者の購売意欲が多いにそそられる事をプラスチック（雑貨）製造産業者が理解する際には、産業上の利用の可能性は極めて高いものとなった。
【符号の説明】
【００１２】１．本願発明される（肉厚を厚くした）バケツにも代用できる縁と取っ手のあるプラスチック製のゴミ箱を図示し、２  その取っ手の部分を表わし、３．チリ取り付ホウキを図示。４．之のゴミ箱の脇には凹凸スライド（若しくは、パッチン）方式で器物を取り付けられる器具が取り付けられている事を図示し、５．その様にして、スライド（若しくはパッチン）方式等で、之のゴミ箱への「チリ取り付ホウキ入れポケット」や、「雑布掛けハンガー」等の取り付け外しが可能になっている事を示す、「組み立て図」と「分解図」とを図示。６．雑布等を掛けて置く事の出来る取り付け外し自在ハンガーの組み立て図と分解図を図示。７．本願発明される、取っ手付バケツ、チリ取りホウキ、雑布掛け付ゴミ箱（Ｔ．８３２）を逆さまにして見た図を示す。８．「チリ取り付きホウキ」を出し入れさせるポケットの底部は網状になっている事が望ましい事を示す図。９．本願発明される「取っ手付、バケツ、チリ取りホウキ、雑布掛け付ゴミ箱（Ｔ．８３２）はバケツとしても使用できるので、各縁の部分にはプラスチックの肉厚を厚くして補強される事が望ましい事を図示。
【図１】
2020023394.tif 000004
【図２】
2020023394.tif 000005
(57)【要約】【課題】  一般に食物を冷蔵保存する際に、食品包装用ラップフィルムをその都度ロール巻取り容器より引き出し、カットしてラップかけするが、その過程でそのラップフィルムは極薄で、両面とも粘着力強く周辺に密着取扱に困惑している。  本発明はその都度毎回のロールフィルムの引き出し、カットの煩わしい手数を省略し、一動作で完結することを目的とする。【解決手段】  本発明においては、あらかじめラップフィルムを定形にカットして使用するもので、その大きさは食器をグループに分けて数個の大きさに限定し、その形状は円形又は角丸正方形とし，外縁周の外側につまみとなる突起部を設定した形状を定形としてカットし、表裏密着を避けるためその表面は非粘着面とした食品包装用ラップフィルムである。【選択図】図１
2020023351.tif 000002
【特許請求の範囲】
【請求項１】
食品包装用ラップフィルムをあらかじめ定形にカットして使用するもので、その大きさは、食器を大きさによって数個のグループに分類し、それぞれのグループの食器の大きさをカバーする大きさで、グループの数だけそれぞれの大きさに限定し、その形状は、食器の形状に準じて円形又は角丸正方形とし、更につまみ部となる為に外縁周の外側同一平面上に突出部を設けた外形を定形とし、食品包装用ラップフィルムの原反より型抜きカットし、その表面は全面又は適宜の幅の外縁周部を非粘着面とした定形にカットされた食品包装用ラップフィルムである。
【発明の詳細な説明】
【技術分野】
【０００１】  食品を入れた食器を冷蔵保存する際、一般に食品包装用ラップフィルムをその都度巻取りロールフィルム容器より引き出し、食器の大きさに見合う長さを付属のカッターでカットし食器にラップかけするが、その過程でそのラップフィルムは極薄く粘着性強く不用意に周辺に密着する等、取り扱いに困難しているのが通常である。
【背景技術】
【０００２】  上記の困難なラップかけの手数を省略する方法及び有効な用具に関する先行技術は存在していない。
【発明の概要】
【発明が解決しようとする課題】
【０００３】  前記の如く食器にラップかけする際その都度ロールフィルムを引き出しカットする煩雑な手数を省略し、一動作でラップかけを完結することを課題とする。
【課題を解決するための手段】
【０００４】  その手段は毎回煩雑な手数を省略するために、あらかじめラップフィルムを定形にカットして置くもので、その大きさは、食器を大きさにより数個のグループに分類し、それぞれのグループを一括カバーする数個の大きさに限定する。【０００５】  その形状は食器に準じて、円形又は角丸正方形とし、【０００６】  さらに取り扱いを容易にするために、その外縁周の外側同一平面上につまみとなる突出部を設けたるものを定形として、食品包装用ラップフィルムの原反より型抜きする。
以後この定形にカットした食品包装用ラップフィルムを定形ラップフィルムと呼称する。【０００７】  上記突出のつまみ部には、紙シールを貼付し内容品・加工月日をメモ筆記すると共に色ずけにより大きさの分類を識別できる。【０００８】  定形ラップフィルムは、販売時から使用時点に至る間数枚を重層して一束として取り扱うためフックに挿通して整理取りまとめ易いフック孔を備える。【０００９】  定形ラップフィルムは一枚一枚単独で使用されるため重層して束とし又、使用時積み重ねることが多く、表裏密着を防止するために、表面は、全面又は外縁周部分を非粘着面とする。
【発明の効果】
【００１０】  本発明の定形ラップフィルムはあらかじめ好みの大きさで定形カットされたラップフィルムを束から取り出してラップかけする一動作で完結する為、その都度ロールフィルムから引き出してカット、ラップかけする事が必要なく省略されることは極めて有益である。【００１１】  本発明の定形ラップフィルムには、本体の外縁周の外側一部に突出したつまみ部が設置されてあり貼付されたシールにより厚さがあり乱雑に積み重なった中からも取り出しが容易である。【００１２】  又つまみ部に貼付された紙シールにより、内容品名・加工月日などをメモ筆記する事で冷蔵庫内でも前面から認識でき迷わずに取り出しができる。【００１３】  本発明の定形ラップフィルムの包装形態は数枚を背面ボール紙と共に重層して束として使用するもので、フック孔によってフックに挿通する事で整理取りまとめができる。【００１４】  本発明の定形ラップフィルムは表面の全面又は外縁周部を非粘着面としている事で通常のラップフィルムのごとく、不用意に周辺に密着し、積み重なった中からも剥離取り出しが容易である。
【図面の簡単な説明】
【００１５】
【図１】円形又は角丸正方形にカットし表面全面を非粘着面とした定形ラップフィルムの平面図
【図２】外縁周部を非粘着面とした定形ラップフィルムの平面図
【図３】定形ラップフィルムの使用様態を示す斜視図
【発明を実施するための形態】
【００１６】  本発明の定形ラップフィルムを実施するために従来品と異なる形態を実施例を加えて説明すると
【実施例１】
【００１７】  定形ラップフィルムの大きさは、食器をその大きさによって幾つかに分類しそれぞれをカバーする幾つかの大きさに限定し、
【実施例２】
【００１８】  その形状は食器の形態に準じて円形又は角丸正方形とする。
【実施例３】
【００１９】  更に取り扱いを容易にする為に、その外縁周の外側同一平面上につまみとなる突出部を設けた形状を定形として、食品包装用ラップフィルムの原反より型抜きする。
【実施例４】
【００２０】  前記つまみ部には紙質シールを貼付し、内容品・加工月日をメモ筆記可能とし、その色を大きさにより色分けすることにより取り分けを容易とする。
【実施例５】
【００２１】  定形ラップフィルムの素材は、ポリエチレン・ポリ塩化ビニール・ポリ塩化ビニリデン・ポリエチレンベンデン等通常の食品包装用ラップフィルムと同一であるが、通常それらは表裏共に粘着性があり不用意な表裏密着を常としている。【００２２】  本発明の定形ラップフィルムは一枚一枚単体で重層して束として使用したり、積み重なること多く、表裏密着を防止するために表面の全面又は外縁周部を非粘着面とする。
【実施例６】
【００２３】  定形ラップフィルムの包装形態は数枚を重層して束とし同形態のボール紙を背面台紙として外装する為、つまみ部の反対位置にフック孔を設けフックに挿通して整理取りまとめをはかる。
【符号の説明】
【００２４】    １、定形ラップフィルムの本体
２、定形ラップフィルム表面上の非粘着面
３、突出部において紙シールを貼付したつまみ部
４、フック孔
【図１】
2020023351.tif 000003
【図２】
2020023351.tif 000004
【図３】
2020023351.tif 000005